(57)【要約】【課題】部品点数が少なくてホルダの微調整を迅速容易に行うこと。【解決手段】ホルダ８が、縦断方向Ｘ−Ｘに長くて底板部８ａにレーザ光透過口１１を開設した金属箱状ホルダ本体８Ａと、該ホルダ本体８Ａの天板部８ｂに形成した収納空間１２内に配置した筒体８Ｂ及び該筒体８Ｂから縦断方向Ｘ−Ｘに沿って延びる操作板８Ｃとを有し、筒体８ＢにレーザダイオードＬＤを嵌入させ、ホルダ８をベース１の外周面に当接させ、調整ねじ３によりホルダ８をベース１に仮止めし、調整ねじ３のねじ込み量を両弾性連結片８Ｄの弾性力に抗して微調整して該両弾性連結片８Ｄを中心に筒体８Ｂ及び操作板８Ｃの傾斜角度を修正すると共に、ホルダ８の位置をベース１の外周面に沿って縦横Ｘ−Ｘ，Ｙ−Ｙに微調整し、ホルダ本体８Ａをベース１に紫外線硬化性接着剤９で固定する。【選択図】　　　　図３
0003098794.tif 000002
【実用新案登録請求の範囲】
【請求項１】
レーザダイオード付き金属ブロック製ホルダに貫設した複数の挿通孔に調整ねじを挿通すると共に、該各調整ねじにコイルばねを外嵌させ、該各コイルばねをベースとホルダとの間に介在させた状態で該ベースの複数のねじ孔に前記各調整ねじをねじ込むことにより、ホルダを介してレーザダイオードをベースの外周面に係止しており、該レーザダイオードからレーザ光をコリメータレンズ及び対物レンズを介してディスクに投射し、その反射光をフォトダイオードで受光することによりディスクに記録されている情報を読み取るようにした光ピックアップにおいて、前記金属ブロック製ホルダに代えて金属板製ホルダが用いられ、該ホルダが、縦断方向に長くて底板部にレーザ光透過口を開設した金属箱状ホルダ本体と、該ホルダ本体の天板部に形成した収納空間内に配置したレーザダイオード嵌入用筒体及び該筒体から縦断方向に沿って延びる操作板とを有し、前記各コイルばねに代えて前記筒体の軸心を横断方向に横切る仮想線上に配置した弾性変位可能な一対の弾性連結片が用いられ、該両弾性連結片を介して筒体及び操作板とホルダ本体の両側板部とが一体連結され、その両弾性連結片を中心に前記筒体及び操作板が両天板部に対して収納空間から離間する方向に所定角度傾斜させられ、前記調整ねじが１本だけ用いられ、前記操作板及び天板部に一対の位置決め治具用係合孔が形成され、前記ホルダ本体の底板部を部分的に外向きに折曲させて一対の押さえ片が一体突設されており、筒体にレーザダイオードを嵌入させ、ホルダをベースの外周面に当接させ、両押さえ片をベースの回折格子用開口部の内周面に形成した一対の凹溝内に遊嵌入させることにより該両凹溝内の回折格子用板ばねを押さえ、調整ねじを操作板を貫通してベースのねじ孔にねじ込むことにより、ホルダをベースに仮止めし、調整ねじのねじ込み量を両弾性連結片の弾性力に抗して微調整することにより、該両弾性連結片を中心に筒体及び操作板の傾斜角度を修正すると共に、位置決め治具をホルダの両係止孔に係合させて該ホルダの位置をベースの外周面に沿って縦横に微調整し、ホルダ本体とベースとの間に紫外線硬化性接着剤を注入し、その接着剤を紫外線の照射により硬化させてホルダをベースに固定することを特徴とする光ピックアップ。
【請求項２】
ベースの外周面にホルダを介して取り付けたレーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが、縦断方向に長くて底板部にレーザ光透過口を開設した金属箱状ホルダ本体と、該ホルダ本体の天板部に形成した収納空間内に配置したレーザダイオード嵌入用筒体及び該筒体から縦断方向に沿って延びる操作板とを有し、前記筒体及び操作板が弾性変位可能な一対の弾性連結片を介してホルダ本体の両側板部に一体連結され、該両弾性連結片を中心に前記筒体及び操作板が天板部に対して収納空間から離間する方向に所定角度傾斜させられており、筒体にレーザダイオードを嵌入させ、ホルダをベースの外周面に当接させ、調整ねじを操作板を貫通してベースのねじ孔にねじ込むことにより、ホルダをベースに仮止めし、調整ねじのねじ込み量を両弾性連結片の弾性力に抗して微調整することにより、該両弾性連結片を中心に筒体及び操作板の傾斜角度を修正すると共に、ホルダの位置をベースの外周面に沿って縦横に微調整し、ホルダ本体とベースとの間に接着剤を注入することにより、ホルダをベースに固定することを特徴とする光ピックアップ。
【請求項３】
前記両弾性連結片が、筒体の軸心を横断方向に横切る仮想線上に配置されていることを特徴とする請求項２に記載の光ピックアップ。
【請求項４】
前記接着剤が紫外線硬化性接着剤からなり、その接着剤をホルダとベースとの間に注入し紫外線の照射により硬化させることを特徴とする請求項２または３に記載の光ピックアップ。
【請求項５】
前記操作板及び天板部に位置決め治具用係合孔が形成されており、該係合孔に位置決め治具を係合させて該ホルダの位置をベースの外周面に沿って縦横に微調整するようにしたことを特徴とする請求項２から４のいずれかに記載の光ピックアップ。
【請求項６】
前記ホルダ本体の底板部を部分的に外向きに折曲させて一対の押さえ片が一体突設されており、該両押さえ片をベースの回折格子用開口部の内周面に形成した一対の凹溝内に遊嵌入させることにより、該両凹溝内の回折格子用板ばねを押さえるようにしたことを特徴とする請求項２から５のいずれかに記載の光ピックアップ。
【考案の詳細な説明】
【０００１】
【考案の属する技術分野】
本考案は、例えばＤＶＤ・ＲＷなどの光ディスク、磁気ディスク（以下、ディスクと略称）の再生や記録または消去を行うための光ピックアップに関する。
【０００２】
【従来の技術】
光ピックアップの原理を説明すると、図９に示すように、ベース１の外周面にホルダ２を介して取り付けたレーザダイオードＬＤからレーザ光Ｏ１を回折格子Ｇ、ハ−フミラーＨＭ、コリメータレンズＱＷＰ及び対物レンズＯＬを介してディスクＤに投射し、その反射光をハ−フミラーＨＭを介してフォトダイオードＰＤで受光することにより、ディスクＤに記録されている情報を読み取る。
【０００３】
上記構成において、レーザ光Ｏ１の拡がり角のばらつきにより、そのレーザ光Ｏ１がコリメータレンズＱＷＰの光軸Ｏ２からずれることがあり、そのずれを補正する技術として特許文献１に記載したものがある。これは、図１０及び図１１に示すように、縦断方向Ｘ−Ｘに長くて横断方向Ｙ−Ｙに短い金属ブロック製ホルダ２の中央部にレーザダイオードＬＤを嵌入させるためのレーザ孔２ａが貫設されると共に、該ホルダ２の四隅に調整ねじ３を挿通するための挿通孔２ｂが形成され、そのホルダ２の裏面に挿通孔２ｂと同心状の突起部２Ａが突設され、各挿通孔２ｂに挿通した４本の調整ねじ３にコイルばね４が外嵌されている。
【０００４】
レーザダイオードＬＤの取付手順を説明すると、ホルダ２にレーザダイオードＬＤをビス５止めした後、突起部２Ａをベース１の開口部１ａに嵌合させ、各コイルばね４をベース１とホルダ２との間に介在させた状態で各調整ねじ３を該ベース１のねじ孔１ｂにねじ込むことにより、ホルダ２を介してレーザダイオードＬＤをベース１の外周面に係止し、レーザ光Ｏ１をコリメータレンズＱＷＰの光軸Ｏ２上に位置決めする。次に、各調整ねじ３のねじ込み量を各コイルばね４の弾性力に抗して微調整することにより、開口部１ａと突起部２Ａとの接点Ｐを中心にホルダ２の姿勢を矢印ａ，ｂ方向にわずかに回動させて修正し、レーザ光Ｏ１の拡がり角のばらつきによる平行光強度軸心のずれを補正して、そのレーザ光Ｏ１をコリメータレンズＱＷＰの光軸Ｏ２に一致させる。
【０００５】
【特許文献１】
特開平２−２２０２２８号公報
【０００６】
【考案が解決しようとする課題】
上記従来の構成では、ホルダ２の突起部２Ａを開口部１ａに嵌合させるようになっており、製作誤差によりレーザ光Ｏ１がコリメータレンズＱＷＰの光軸Ｏ２上からベース１の外周面に沿って縦横Ｘ−Ｘ，Ｙ−Ｙに位置ずれした場合には、その位置ずれを修正することができないから、ホルダ２を廃棄するしかなく、コストアップになる。また、各調整ねじ３のねじ込み量を微調整してホルダ２の姿勢を修正するようになっており、その調整ねじ３の数が多いから、微調整に手間と時間とがかかって面倒である。更に、複数の調整ねじ３及びコイルばね４が必要であって、部品点数が多いから、製作費が高くつく。
【０００７】
本考案は、上記従来の欠点に鑑み、部品点数が少なくてホルダの姿勢及びその位置の微調整を迅速容易に行うことができるようにした光ピックアップを提供することを目的としている。
【０００８】
【課題を解決するための手段】
上記目的を達成するため、請求項１に記載の考案は、レーザダイオード付き金属ブロック製ホルダに貫設した複数の挿通孔に調整ねじを挿通すると共に、該各調整ねじにコイルばねを外嵌させ、該各コイルばねをベースとホルダとの間に介在させた状態で該ベースの複数のねじ孔に前記各調整ねじをねじ込むことにより、ホルダを介してレーザダイオードをベースの外周面に係止しており、該レーザダイオードからレーザ光をコリメータレンズ及び対物レンズを介してディスクに投射し、その反射光をフォトダイオードで受光することによりディスクに記録されている情報を読み取るようにした光ピックアップにおいて、前記金属ブロック製ホルダに代えて金属板製ホルダが用いられ、該ホルダが、縦断方向に長くて底板部にレーザ光透過口を開設した金属箱状ホルダ本体と、該ホルダ本体の天板部に形成した収納空間内に配置したレーザダイオード嵌入用筒体及び該筒体から縦断方向に沿って延びる操作板とを有し、前記各コイルばねに代えて前記筒体の軸心を横断方向に横切る仮想線上に配置した弾性変位可能な一対の弾性連結片が用いられ、該両弾性連結片を介して筒体及び操作板とホルダ本体の両側板部とが一体連結され、その両弾性連結片を中心に前記筒体及び操作板が両天板部に対して収納空間から離間する方向に所定角度傾斜させられ、前記調整ねじが１本だけ用いられ、前記操作板及び天板部に一対の位置決め治具用係合孔が形成され、前記ホルダ本体の底板部を部分的に外向きに折曲させて一対の押さえ片が一体突設されており、筒体にレーザダイオードを嵌入させ、ホルダをベースの外周面に当接させ、両押さえ片をベースの回折格子用開口部の内周面に形成した一対の凹溝内に遊嵌入させることにより該両凹溝内の回折格子用板ばねを押さえ、調整ねじを操作板を貫通してベースのねじ孔にねじ込むことにより、ホルダをベースに仮止めし、調整ねじのねじ込み量を両弾性連結片の弾性力に抗して微調整することにより、該両弾性連結片を中心に筒体及び操作板の傾斜角度を修正すると共に、位置決め治具をホルダの両係止孔に係合させて該ホルダの位置をベースの外周面に沿って縦横に微調整し、ホルダ本体とベースとの間に紫外線硬化性接着剤を注入し、その接着剤を紫外線の照射により硬化させてホルダをベースに固定することを特徴としている。
【０００９】
上記構成は実施の一形態（図１から図８参照）に相当するものであって、これによれば、ホルダがベースの外周面に移動可能に当接されているので、操作板及び天板部に形成した一対の係合孔に位置決め治具を係合させ、該治具を移動させてホルダの位置をベースの外周面に沿って縦横に微調整することにより、レーザ光をコリメータレンズの光軸上に精密に位置決めすることができる。
【００１０】
また、調整ねじのねじ込み量を両弾性連結片の弾性力に抗して微調整することにより、該両弾性連結片を中心にレーザダイオードの姿勢を修正し、これによって、レーザ光の拡がり角のばらつきによる平行光強度軸心のずれを補正して、そのレーザ光をコリメータレンズの光軸に一致させることができ、この場合、調整ねじが１本だけであるから、その微調整を迅速容易に行うことができる。
【００１１】
ここで重要なことは、両弾性連結片が筒体の軸心を横断方向に横切る仮想線上に配置されているということであり、その仮想線回りでレーザダイオードの姿勢を精密に微調整することができる。
【００１２】
更に、前記両弾性連結片が、ホルダ本体に筒体及び操作板を連結する連結機能と、調整ねじの締付力に抗して弾性力を発生させる弾性力発生機能とを有しており、その両機能を兼務している分だけ構造を簡単にすることができる。
【００１３】
また更に、１枚の金属板をプレス加工するだけで、ホルダ本体、両弾性連結片、筒体及び操作板からなるホルダを成形することができ、調整ねじも１本だけでよいから、従来に比べて部品点数が少なく、製作費が安くつく。
【００１４】
しかも、紫外線硬化性接着剤によりホルダをベースに固定するようになっており、従来のようにホルダをねじ止めする場合に比べて、その固定作業を低コストで迅速確実に行うことができる。
【００１５】
また、ベースの外周面にホルダを仮止めすると同時に、両押さえ片により回折格子用板ばねを確実に押さえることができて手間がかからず、その両押さえ片がホルダの底板部に突設されているので、部品点数が増加せず、経済的である。
【００１６】
請求項２に記載の考案は、ベースの外周面にホルダを介して取り付けたレーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが、縦断方向に長くて底板部にレーザ光透過口を開設した金属箱状ホルダ本体と、該ホルダ本体の天板部に形成した収納空間内に配置したレーザダイオード嵌入用筒体及び該筒体から縦断方向に沿って延びる操作板とを有し、前記筒体及び操作板が弾性変位可能な一対の弾性連結片を介してホルダ本体の両側板部に一体連結され、該両弾性連結片を中心に前記筒体及び操作板が天板部に対して収納空間から離間する方向に所定角度傾斜させられており、筒体にレーザダイオードを嵌入させ、ホルダをベースの外周面に当接させ、調整ねじを操作板を貫通してベースのねじ孔にねじ込むことにより、ホルダをベースに仮止めし、調整ねじのねじ込み量を両弾性連結片の弾性力に抗して微調整することにより、該両弾性連結片を中心に筒体及び操作板の傾斜角度を修正すると共に、ホルダの位置をベースの外周面に沿って縦横に微調整し、ホルダ本体とベースとの間に接着剤を注入することにより、ホルダをベースに固定することを特徴としている。
【００１７】
上記構成によれば、ホルダがベースの外周面に移動可能に当接されているので、該ホルダの位置をベースの外周面に沿って縦横に微調整することにより、レーザ光をコリメータレンズの光軸上に精密に位置決めすることができる。
【００１８】
また、調整ねじのねじ込み量を両弾性連結片の弾性力に抗して微調整することにより、該両弾性連結片を中心にレーザダイオードの姿勢を修正し、これによって、レーザ光の拡がり角のばらつきによる平行光強度軸心のずれを補正して、そのレーザ光をコリメータレンズの光軸に一致させることができ、この場合、調整ねじが１本だけであるから、その微調整を迅速容易に行うことができる。
【００１９】
更に、前記両弾性連結片が、ホルダ本体に筒体及び操作板を連結する連結機能と、調整ねじの締付力に抗して弾性力を発生させる弾性力発生機能とを有しており、その両機能を兼務している分だけ構造を簡単にすることができる。
【００２０】
しかも、１枚の金属板をプレス加工するだけで、ホルダ本体、両弾性連結片、筒体及び操作板からなるホルダを成形することができ、調整ねじも１本だけでよいから、従来に比べて部品点数が少なく、製作費が安くつく。
【００２１】
請求項３に記載の考案は、請求項２に記載の考案において、前記両弾性連結片が、筒体の軸心を横断方向に横切る仮想線上に配置されていることを特徴としている。
【００２２】
上記構成によれば、両弾性連結片が筒体の軸心を横断方向に横切る仮想線上に配置されているから、その仮想線回りでレーザダイオードの姿勢を精密に微調整することができる。
【００２３】
請求項４に記載の考案は、請求項２または３に記載の考案において、前記接着剤が紫外線硬化性接着剤からなり、その接着剤をホルダとベースとの間に注入し紫外線の照射により硬化させることを特徴としている。
【００２４】
上記構成によれば、紫外線硬化性接着剤によりホルダをベースに固定するようになっており、従来のようにホルダをねじ止めする場合に比べて、その固定作業を低コストで迅速確実に行うことができる。
【００２５】
請求項５に記載の考案は、請求項２から４のいずれかに記載の考案において、前記操作板及び天板部に位置決め治具用係合孔が形成されており、該係合孔に位置決め治具を係合させて該ホルダの位置をベースの外周面に沿って縦横に微調整するようにしたことを特徴としている。
【００２６】
上記構成によれば、操作板及び天板部に形成した係合孔に位置決め治具を係合させ、該治具を移動させてホルダの位置をベースの外周面に沿って縦横に微調整することにより、レーザ光をコリメータレンズの光軸上に精密に位置決めすることができる。
【００２７】
請求項６に記載の考案は、請求項２から５のいずれかに記載の考案において、前記ホルダ本体の底板部を部分的に外向きに折曲させて一対の押さえ片が一体突設されており、該両押さえ片をベースの回折格子用開口部の内周面に形成した一対の凹溝内に遊嵌入させることにより、該両凹溝内の回折格子用板ばねを押さえるようにしたことを特徴としている。
【００２８】
上記構成によれば、ベースの外周面にホルダを仮止めすると同時に、両押さえ片により回折格子用板ばねを確実に押さえることができて手間がかからず、その両押さえ片がホルダの底板部に突設されているので、部品点数が増加せず、経済的である。
【００２９】
【考案の実施の形態】
図１及び図２は光ピックアップを示すものであって、ガイドレール７に沿って移動可能な熱伝導性に優れた材料（例えばアルミ）からなるベース１の外周面にレーザダイオードＬＤ付き金属板製ホルダ８が調整ねじ３により仮止めされ、該ホルダ８が紫外線硬化性接着剤９によりベース１に固定されている。
【００３０】
前記ホルダ８は、図３から図７に示すように、熱伝導性が良好な金属材料（例えば亜鉛）により縦断方向Ｘ−Ｘに長くて横断方向Ｙ−Ｙに短い金属箱状ホルダ本体８Ａと、筒体８Ｂ及び該筒体８Ｂから縦断方向Ｘ−Ｘに延びる操作板８Ｃとを有し、前記ホルダ本体８Ａが、筒体８Ｂ及び操作板８Ｃを収納する収納空間１２を中央部に形成した天板部８ｂと、該天板部８ｂの両側縁から直角に折曲された一対の側板部８ｃと、該各側板部８ｃから直角に折曲されて天板部８ｂに対向する一対の底板部８ａとからなり、該両底板部８ａ間にレーザ光透過口１１が開設されている。また、筒体８Ｂの軸心Ｏ１を横断方向Ｙ−Ｙに横切る仮想線Ｓ上に配置した弾性変位可能な一対の弾性連結片８Ｄを介して筒体８Ｂ及び操作板８Ｃとホルダ本体８Ａの両側板部８ｃとが一体連結され、該両弾性連結片８Ｄを中心に筒体８Ｂ及び側板部８ｃが天板部８ｂに対して収納空間１２から離間する方向に所定角度α（例えば３°）傾斜され、操作板８Ｃの先端に凹部１３が形成され、操作板８Ｃ及び天板部８ｂに位置決め治具１４（図８参照）を係合させるための一対の係合孔１５が形成されている。なお、図３中、８ｄは操作板８Ｃの両側縁を直角に折り曲げて形成した補強板である。
【００３１】
上記構成によれば、両弾性連結片８Ｄが、ホルダ本体８Ａに筒体８Ｂ及び操作板８Ｃを連結する連結機能と、調整ねじ３の締付力に抗して弾性力を発生させる弾性力発生機能とを有しており、その両機能を兼務している分だけ構造を簡単にすることができる。また、１枚の金属板をプレス加工するだけで、ホルダ本体８Ａ、両弾性連結片８Ｄ、筒体８Ｂ及び操作板８Ｃからなるホルダ８を成形することができ、製作費が安くつく。
【００３２】
図７に示すように、ホルダ本体８Ａの底板部８ａを部分的に外向きに略Ｖ字状に折曲させて一対の押さえ片８ｅが一体突設されており、該各押さえ片８ｅを回折格子Ｇ用開口部１ａの内周面に形成した一対の凹溝１６内に嵌入させたときに（図４及び図５参照）、その各押さえ片８ｅと凹溝１６との間にわずかな隙間βが生じるようにして、ホルダ８がベース１の外周面に沿って縦横Ｘ−Ｘ，Ｙ−Ｙに移動できるようにしている。この場合、両押さえ片８ｅがホルダ８の底板部８ａに突設されているので、部品点数が増加せず、経済的である。
【００３３】
レーザダイオードＬＤの取付手順を説明すると、図８（ａ）に示すように、筒体８ＢにレーザダイオードＬＤを嵌入させ、ホルダ８をベース１の外周面に当接させ、両押さえ片８ｅをベース１の凹溝１６内に遊嵌入させることにより、該両凹溝１６内の回折格子用板ばね１７を押さえ、調整ねじ３を操作板８Ｃの凹部１３に通してベース１のねじ孔１ｂにねじ込むことにより、ホルダ８をベース１に仮止めする（図４仮想線参照）。この場合、ホルダ８の仮止めと同時に、両押さえ片８ｅにより板ばね１７を押さえることができて手間がかからない。
【００３４】
次に、図８（ｂ）に示すように、調整ねじ３のねじ込み量を両弾性連結片８Ｄの弾性力に抗して微調整することにより、該両弾性連結片８Ｄを中心に筒体８Ｂ及び操作板８Ｃの傾斜角度αを修正することにより、両弾性連結片８Ｄを中心にレーザダイオードＬＤの姿勢を矢印ａ，ｂ方向に修正し、これによって、レーザ光Ｏ１の拡がり角のばらつきによる平行光強度中心のずれを補正して、そのレーザ光Ｏ１をコリメータレンズＱＷＰの光軸Ｏ２に一致させる。また、位置決め治具１４の係合ピン１４ａをホルダ８の両係合孔１５に係合させて該ホルダ８の位置をベース１の外周面に沿って縦横Ｘ−Ｘ，Ｙ−Ｙに微調整することにより、レーザ光Ｏ１をコリメータレンズＱＷＰの光軸Ｏ２上に一致させる（図９参照）。この場合、調整ねじ３が１本だけであるから、その微調整を迅速容易に行うことができる。
【００３５】
ここで重要なことは、両弾性連結片８Ｄが筒体８Ｂの軸心Ｏ１を横断方向Ｙ−Ｙに横切る仮想線Ｓ上に配置されているということであり、その仮想線Ｓ回りでレーザダイオードＬＤの姿勢を精密に微調整することができる。
【００３６】
その後、図８（ｃ）に示すように、紫外線硬化性接着剤９をベース１とホルダ本体８Ａとの間に注入し、その接着剤９を紫外線の照射により硬化させてホルダ２をベース１に固定すればよい。この場合、従来のようにホルダ２をねじ止めするのに比べて、その固定作業を低コストで迅速確実に行うことができる。
【００３７】
上記構成によれば、アルミによりベース１を形成すると共に、りん青銅によりホルダ８を形成しているので、レーザダイオードＬＤの発熱を促進して該レーザダイオードＬＤを効率良く作動させることができる。
【００３８】
【考案の効果】
請求項１に記載の考案によれば、実施の一形態（図１から図８参照）に示すように、ホルダがベースの外周面に移動可能に当接されているので、操作板及び天板部に形成した一対の係合孔に位置決め治具を係合させ、該治具を移動させてホルダの位置をベースの外周面に沿って縦横に微調整することにより、レーザ光をコリメータレンズの光軸上に精密に位置決めすることができる。
【００３９】
また、調整ねじのねじ込み量を両弾性連結片の弾性力に抗して微調整することにより、該両弾性連結片を中心にレーザダイオードの姿勢を修正し、これによって、レーザ光の拡がり角のばらつきによる平行光強度軸心のずれを補正して、そのレーザ光をコリメータレンズの光軸に一致させることができ、この場合、調整ねじが１本だけであるから、その微調整を迅速容易に行うことができる。
【００４０】
ここで重要なことは、両弾性連結片が筒体の軸心を横断方向に横切る仮想線上に配置されているということであり、その仮想線回りでレーザダイオードの姿勢を精密に微調整することができる。
【００４１】
更に、前記両弾性連結片が、ホルダ本体に筒体及び操作板を連結する連結機能と、調整ねじの締付力に抗して弾性力を発生させる弾性力発生機能とを有しており、その両機能を兼務している分だけ構造を簡単にすることができる。
【００４２】
また更に、１枚の金属板をプレス加工するだけで、ホルダ本体、両弾性連結片、筒体及び操作板からなるホルダを成形することができ、調整ねじも１本だけでよいから、従来に比べて部品点数が少なく、製作費が安くつく。
【００４３】
しかも、紫外線硬化性接着剤によりホルダをベースに固定するようになっており、従来のようにホルダをねじ止めする場合に比べて、その固定作業を低コストで迅速確実に行うことができる。
【００４４】
また、ベースの外周面にホルダを仮止めすると同時に、両押さえ片により回折格子用板ばねを確実に押さえることができて手間がかからず、その両押さえ片がホルダの底板部に突設されているので、部品点数が増加せず、経済的である。
【００４５】
請求項２に記載の考案によれば、ホルダがベースの外周面に移動可能に当接されているので、該ホルダの位置をベースの外周面に沿って縦横に微調整することにより、レーザ光をコリメータレンズの光軸上に精密に位置決めすることができる。
【００４６】
また、調整ねじのねじ込み量を両弾性連結片の弾性力に抗して微調整することにより、該両弾性連結片を中心にレーザダイオードの姿勢を修正し、これによって、レーザ光の拡がり角のばらつきによる平行光強度軸心のずれを補正して、そのレーザ光をコリメータレンズの光軸に一致させることができ、この場合、調整ねじが１本だけであるから、その微調整を迅速容易に行うことができる。
【００４７】
更に、前記両弾性連結片が、ホルダ本体に筒体及び操作板を連結する連結機能と、調整ねじの締付力に抗して弾性力を発生させる弾性力発生機能とを有しており、その両機能を兼務している分だけ構造を簡単にすることができる。
【００４８】
しかも、１枚の金属板をプレス加工するだけで、ホルダ本体、両弾性連結片、筒体及び操作板からなるホルダを成形することができ、調整ねじも１本だけでよいから、従来に比べて部品点数が少なく、製作費が安くつく。
【００４９】
請求項３に記載の考案によれば、両弾性連結片が筒体の軸心を横断方向に横切る仮想線上に配置されているから、その仮想線回りでレーザダイオードの姿勢を精密に微調整することができる。
【００５０】
請求項４に記載の考案によれば、紫外線硬化性接着剤によりホルダをベースに固定するようになっており、従来のようにホルダをねじ止めする場合に比べて、その固定作業を低コストで迅速確実に行うことができる。
【００５１】
請求項５に記載の考案によれば、操作板及び天板部に形成した係合孔に位置決め治具を係合させ、該治具を移動させてホルダの位置をベースの外周面に沿って縦横に微調整することにより、レーザ光をコリメータレンズの光軸上に精密に位置決めすることができる。
【００５２】
請求項６に記載の考案によれば、ベースの外周面にホルダを仮止めすると同時に、両押さえ片により回折格子用板ばねを確実に押さえることができて手間がかからず、その両押さえ片がホルダの底板部に突設されているので、部品点数が増加せず、経済的である。
【図面の簡単な説明】
【図１】本考案の実施の一形態である光ピックアップの一部切り欠き平面図である。
【図２】同正面図である。
【図３】同要部の斜視図である。
【図４】同要部の縦断面図である。
【図５】図４のＡ−Ａ矢視図である。
【図６】同要部の分解斜視図である。
【図７】同ホルダの裏面側斜視図である。
【図８】（ａ）から（ｃ）はレーザダイオードの取付手順を示す説明図である。
【図９】光ピックアップの原理を示す概略説明図である。
【図１０】従来を示す水平断面図である。
【図１１】同分解斜視図である。
【符号の説明】
１　　　ベース
１ｂ　　ねじ孔
３　　　調整ねじ
８　　　ホルダ
８Ａ　　ホルダ本体
８Ｂ　　筒体
８Ｃ　　操作板
８Ｄ　　弾性連結片
８ａ　　底板部
８ｂ　　天板部
８ｃ　　側板部
８ｅ　　押さえ片
９　　　紫外線硬化性接着剤
１１　　レーザ光透過口
１２　　収納空間
１３　　凹部
１４　　位置決め治具
１５　　係合孔
１６　　凹溝
１７　　回折格子用板ばね
ＬＤ　　レーザダイオード
Ｇ　　　回折格子
ＱＷＰ　コリメータレンズ
Ｘ−Ｘ　縦断方向
Ｙ−Ｙ　横断方向
Ｏ１　　筒体の軸心
Ｓ　　　仮想線
【図１】
0003098794.tif 000003
【図２】
0003098794.tif 000004
【図３】
0003098794.tif 000005
【図４】
0003098794.tif 000006
【図５】
0003098794.tif 000007
【図６】
0003098794.tif 000008
【図７】
0003098794.tif 000009
【図８】
0003098794.tif 000010
【図９】
0003098794.tif 000011
【図１０】
0003098794.tif 000012
【図１１】
0003098794.tif 000013